(57)【要約】【課題】テーブルが肘掛内に自重落下したときの衝撃緩和及び破損防止並びにテーブル収納時のがたつき防止を行いつつ、肘掛におけるヒンジ設置場所に制約が生じないようにヒンジ自体が大きくならない肘掛内蔵式テーブル装置を提供する【解決手段】肘掛内蔵式テーブル装置は、不使用時に肘掛１０の上面に開口１１をもつ収納空間１２に直立に収納され、小口方向及び面方向に回動するヒンジ３１、３２により使用時に水平に支持されるテーブル２０を有し、収納空間においてテーブルの外縁に接触することでテーブルの小口方向の回動を上方に付勢するアシストアーム４０並びにテーブルの小口方向の回動時に互いに摺接してテーブルを収納空間の開口部の長手方向と平行になるよう矯正するガイド６０をテーブル及び収納空間の開口部に有している。【選択図】図１
2008113791.tif 000002
【特許請求の範囲】
【請求項１】
不使用時に肘掛の上面に開口をもつ収納空間に直立に収納され、使用時に小口方向及び面方向に回動するヒンジにより水平に支持されるテーブルを有する肘掛内蔵式テーブル装置であって、
前記収納空間において前記テーブルの外縁に接触して該テーブルの小口方向の回動を上方に付勢するアシストアームを有する肘掛内蔵式テーブル装置。
【請求項２】
不使用時に肘掛の上面に開口をもつ収納空間に直立に収納され、使用時に小口方向及び面方向に回動するヒンジにより水平に支持されるテーブルを有する肘掛内蔵式テーブル装置であって、
前記テーブルの小口方向の回動時に互いに摺接して該テーブルを前記収納空間の開口部の長手方向と平行になるよう矯正するガイドを該テーブル及び該収納空間の開口部に有する肘掛内蔵式テーブル装置。
【請求項３】
不使用時に肘掛の上面に開口をもつ収納空間に直立に収納され、使用時に小口方向及び面方向に回動するヒンジにより水平に支持されるテーブルを有する肘掛内蔵式テーブル装置であって、
前記収納空間において前記テーブルの外縁に接触して該テーブルの小口方向の回動を上方に付勢するアシストアーム並びに該テーブルの小口方向の回動時に互いに摺接して該テーブルを該収納空間の開口部の長手方向と平行になるよう矯正するガイドを該テーブル及び該収納空間の開口部に有する肘掛内蔵式テーブル装置。
【請求項４】
前記アシストアームが、テーブルが収納位置の近傍にあるときにおいてテーブルの小口方向の回動を上方に付勢しない請求項１又は３記載の肘掛内蔵式テーブル装置。
【請求項５】
前記テーブルが肘掛の前端に軸着され、前記アシストアームが前記収納空間内の後部に軸支される請求項１、３又は４記載の肘掛内蔵式テーブル装置。
【発明の詳細な説明】
【技術分野】
【０００１】
本発明は、乗り物等の座席に設けられる肘掛内蔵式テーブル装置（インアームテーブル装置）に関するものである。
【背景技術】
【０００２】
図６に示すように、乗り物等の座席は、不使用時には肘掛１０１内に収納され、使用時には肘掛１０１内から引き出され、水平に保持されるテーブル１０２が設けられることがある。このようなテーブル１０２は、ヒンジ１０３により回動可能に肘掛に具設されているため、誤ってテーブルが肘掛１０１内に自重落下したとき、衝撃音が発生したり、衝撃でテーブル１０２等が破損したりすることがあった。また、テーブル１０２収納時に、テーブル１０２が正規状態で収納されないときにもテーブル１０２等が破損したりすることがあった。
【０００３】
そこで、テーブルが肘掛１０１内に自重落下したときの衝撃を緩和するものとして、特許文献１記載のように、ヒンジのピン構造に抵抗体を介装したものが提案されていた。
【０００４】
特許文献２記載のように、ヒンジに付勢手段を設けたものが提案されていた。
【０００５】
特許文献３記載のように、テーブルの外縁に回動緩慢部材を摺接させるものが提案されていた。
【０００６】
一方、特許文献４記載のように、直線的に上下方向に移動するときのテーブルのがたつきを制止して、テーブルによるアームレスト等周辺の傷付きを防止するため、テーブル収納部の側面に当接するプロテクタを具備するものが提案されていた。
【特許文献１】特開平１０−２３４５１４号公報
【特許文献２】特開２００５−１１２０６２号公報
【特許文献３】特開２００５−４８３号公報
【特許文献４】特開２００１−１７１４１４号公報
【発明の開示】
【発明が解決しようとする課題】
【０００７】
しかし、特許文献１、２記載のように、ヒンジのピン構造に抵抗体を介装したもの及びヒンジに付勢手段を設けたものは、ヒンジ自体に自重落下による衝撃を緩和する仕組みが設けられることから、ヒンジが大きくなり、肘掛におけるヒンジ設置場所に制約が生じていた。
【０００８】
特許文献３記載のように、テーブルの外縁に回動緩慢部材を摺接させるものは、経年変化による摺動力の低下が生じ、回動緩慢部材の取り付け及び調整に習熟を要し、かつ、テーブル引出し時には回動緩慢部材との摺接が抵抗となり、引き出し難いものとなっていた。
【０００９】
特許文献４記載のようなプロテクタは、テーブルを軸着している部分の面方向の回動によるテーブルのがたつきを制止するものではないため、面方向の回動によるテーブルのがたつきを制止することできなかった。
【００１０】
そこで、テーブルが肘掛内に自重落下したときの衝撃緩和及び破損防止並びにテーブル収納時のがたつき防止を行いつつ、肘掛におけるヒンジ設置場所に制約が生じないようにヒンジ自体が大きくならない肘掛内蔵式テーブル装置を提供することを目的とする。
【課題を解決するための手段】
【００１１】
本明細書において、テーブルの小口方向とは、テーブルの面と平行方向をいい、テーブルの面方向とは、テーブルの面と交わる方向をいう。
【００１２】
上記目的を達成するために、本発明の第一態様の肘掛内蔵式テーブル装置は、不使用時に肘掛の上面に開口をもつ収納空間に直立に収納され、使用時に小口方向及び面方向に回動するヒンジにより水平に支持されるテーブルを有し、収納空間においてテーブルの外縁に接触することでテーブルの小口方向の回動を上方に付勢するアシストアームを有している。
【００１３】
本発明の第二態様の肘掛内蔵式テーブル装置は、不使用時に肘掛の上面に開口をもつ収納空間に直立に収納され、小口方向及び面方向に回動するヒンジにより使用時に水平に支持されるテーブルを有し、テーブルの小口方向の回動時に互いに摺接してテーブルを収納空間の開口部の長手方向と平行になるよう矯正するガイドをテーブル及び収納空間の開口部に有している。
【００１４】
本発明の第三態様の肘掛内蔵式テーブル装置は、不使用時に肘掛の上面に開口をもつ収納空間に直立に収納され、小口方向及び面方向に回動するヒンジにより使用時に水平に支持されるテーブルを有し、収納空間においてテーブルの外縁に接触することでテーブルの小口方向の回動を上方に付勢するアシストアーム並びにテーブルの小口方向の回動時に互いに摺接してテーブルを収納空間の開口部の長手方向と平行になるよう矯正するガイドをテーブル及び収納空間の開口部に有している。
【００１５】
前記アシストアームは、テーブルが収納位置の近傍にあるときにおいてテーブルの小口方向の回動を上方に付勢していないことが好ましい。具体的には、収納位置からの小口方向の角度γが２５度までの間に、より好ましくは角度γが１３度までの間にテーブルがあるとき、アシストアームは、テーブルの小口方向の回動を上方に付勢していないことである。
【００１６】
前記テーブルは、肘掛の前端に軸着され、前記アシストアームは、前記収納空間内の後部に軸支されていることが好ましい。
【００１７】
前記ガイドは、小口方向の回動時にテーブルの一端が収納空間内に達した時から互いに摺接するのが好ましい。テーブルの一端が収納空間内に達した位置からの小口方向の角度αが１５度に達するまでには、より好ましくは角度αが６度に達するまでにはガイドが互いに摺接していることである。なお、テーブルの一端が収納空間内に達する前からガイドが互いに摺接してもよいし、テーブルが収納位置にあってもなお摺接していてもよい。
【００１８】
前記アシストアームは、小口方向の回動時にテーブルの外縁の中で最初にアシストアームと接触する部位が収納空間内に達した時からテーブルの外縁に接触するのが好ましい。テーブルの外縁の中で最初にアシストアームと接触する部位が収納空間内に達した位置からの小口方向の角度βが１５度に達するまでには、より好ましくは角度βが１度に達するまでにはアシストアームがテーブルの外縁に接触していることである。なお、テーブルの外縁の中で最初にアシストアームと接触する部位が収納空間内に達する前からアシストアームがテーブルの外縁に接触してもよい。
【００１９】
前記アシストアームには、軸支部、テーブル外縁接触部及び上方向付勢手段取着部がある。軸支部は、アシストアームが揺動可能となるようアシストアームの基端に設けてもよいし、長手方向途中部に設けてもよい。
【００２０】
テーブル外縁接触部は、アシストアームの先端に設けられるのが好ましいが、長手方向途中部に設けてもよい。また、テーブル外縁接触部には、ローラー等の回転部材を設けてもよいし、樹脂等の摺動部材を設けてもよい。なお、テーブル外縁接触部の外周面の形状を幅方向中央が凹陥となるようにし、該凹陥部にテーブルが外接することで、テーブルのがたつきをなくすようにしてもよいし、該凹陥部がテーブルを収納空間の開口部の長手方向と平行になるよう矯正するガイドであってもよい。
【００２１】
上方向付勢手段取着部は、アシストアームの長手方向途中部であってもよいし、軸支部をはさんでテーブル外縁接触部と反対の端にあってもよい。上方向付勢手段、即ち、テーブルの外縁に接触するアシストアームがテーブルの小口方向の回動を上方に付勢するための手段としては、コイルばね等の弾性体又はエア圧、油圧等の流体圧によるシリンダー等が例示できる。
【００２２】
前記ガイドは、テーブルの表裏両面及び開口部の長手方向の両辺に設けられるのが好ましいが、テーブルの表裏のうちの片面及びそれに摺接できるよう開口部の長手方向の一辺に設けてもよい。また、互いに摺接しやすいようガイドの端部にはテーパーを設けてもよい。ガイドの材質としては、樹脂又は金属等が例示でき、耐磨耗性及び滑性を考慮して、ナイロンが好ましい。
【発明の効果】
【００２３】
（ａ）本発明の第一態様によれば、テーブルが肘掛内に自重落下したときの衝撃緩和及び破損防止を行いつつ、肘掛におけるヒンジ設置場所に制約が生じないようにヒンジ自体が大きくならない肘掛内蔵式テーブル装置を提供することができる。（ｂ）本発明の第二態様によれば、収納時の破損防止及びテーブルの収納位置でのがたつき防止を行いつつ、肘掛におけるヒンジ設置場所に制約が生じないようにヒンジ自体が大きくならない肘掛内蔵式テーブル装置を提供することができる。（ｃ）本発明の第三態様によれば、テーブルが肘掛内に自重落下したときの衝撃緩和及び破損防止を行い、かつ、収納時の破損防止及びテーブルの収納位置でのがたつき防止を行いつつ、肘掛におけるヒンジ設置場所に制約が生じないようにヒンジ自体が大きくならない肘掛内蔵式テーブル装置を提供することができる。
【発明を実施するための最良の形態】
【００２４】
本発明の肘掛内蔵式テーブル装置は、不使用時に肘掛の上面に開口をもつ収納空間に直立に収納され、小口方向及び面方向に回動するヒンジにより使用時に水平に支持されるテーブルを有し、収納空間においてテーブルの外縁に接触することでテーブルの小口方向の回動を上方に付勢するアシストアーム並びにテーブルの一端が収納空間内に達した位置からの小口方向の角度αが６〜１５度の間の小口方向の回動時に互いに摺接してテーブルを収納空間の開口部の長手方向と平行になるよう矯正するガイドをテーブル及び収納空間の開口部に有している。
【実施例】
【００２５】
以下、本発明の肘掛内蔵式テーブル装置の実施例を図面に基づいて説明する。本発明の肘掛内蔵式テーブル装置は、鉄道の座席に用いられるものであり、図１に示すように、肘掛１０、肘掛蓋５１、ヒンジ３１、３２、テーブル２０、ストッパー５５、アシストアーム４０及びガイドブロック６０からなっている。
【００２６】
肘掛１０には、上面にテーブル２０を挿通可能な開口部１１が形成され、肘掛１０の内には、テーブルの収納空間１２が形成されている。
【００２７】
肘掛１０の上面には、肘掛１０の開口部１１を隠蔽して肘掛部となるよう肘掛蓋５１が蝶番５２を介して取着されている。
【００２８】
肘掛１０の開口部１１の前端には、テーブル２０の小口方向回動用のヒンジ３１の一端が外部から見えないよう取着され、他端は、テーブル２０の面方向回動用のヒンジ３２の一端となっている。ヒンジ３２の他端には、テーブル２０が取着されている。
【００２９】
テーブル２０は、略扇状をしており、扇の要にあたる部分２１にヒンジ３２が取着されている。弧状側端２２は、ヒンジ３１の回動軸を中心とする略円弧となっている。ヒンジ３２が取着されている側端２３とほぼ平行となるような側端２４を得るために、弧状側端２２の一部は欠截している。扇の要にあたる部分２１付近は、テーブルの表裏両面とも凸起し、テーブルの耳部２５となっている。
【００３０】
肘掛１０内の下段やや前寄りには、ストッパー５５が固着されている。ストッパー５５は、ベース金具５６とテーブル当りゴム５７とからなり、テーブル２０の破損を防止するため、テーブルの外縁には、テーブル当りゴム５７が当接する。
【００３１】
肘掛１０内の後部ほぼ中段を軸支点として、アシストアーム４０の基端は揺動可能に軸支されている。アシストアーム４０には、アシストローラー４１とアシストばね４２とが装着されている。アシストローラー４１は、外周面の幅方向中央が凹陥となり、アシストアーム４０の先端に軸着している。アシストばね４２は、一端がアシストアーム４０の長手方向途中部に取着され、他端は、アシストアームの軸支点より上方の肘掛１０内に軸着されている。
【００３２】
ガイドブロック６０は、テーブル側ガイドブロック６１が一対と肘掛側ガイドブロック６２が一対の合わせて四個となっている。一対のテーブル側ガイドブロック６１は、テーブル２０の耳部２５の表裏両面に突設されている。一対の肘掛側ガイドブロック６２は、テーブル２０の小口方向の回動時にテーブル側ガイドブロック６１と摺接するよう、開口部１１の長辺と平行になるように開口部１１のヒンジ３１の取着部の後方に固着されている。
【００３３】
図５（ｂ）に示すように、不使用時においてテーブル２０は、肘掛１０内の収納空間１２にヒンジ３１を支持点として直立に収納されている。この時、テーブル２０の側端２４は、下端となってストッパー５５に当接している。テーブル２０の弧状側端２２は、揺動下限までアシストアーム４０を押し下げてアシストローラー４１に外接している。肘掛蓋５１は、開口部１１を隠蔽し肘掛上面に載上されている。
【００３４】
図４（ａ）に示すように、使用時においてテーブル２０は、ヒンジ３１、３２を支持点として肘掛１０の斜め前方において水平になるよう支持されている。この時、アシストアーム４０は、揺動上限に位置している。肘掛蓋５１は、開口部１１を隠蔽し肘掛上面に載上されている。
【００３５】
図２、４、５に示すように、使用状態から不使用状態への移行時においてテーブル２０は、ヒンジ３２の約９０度の回動により水平状態から直立状態になる。その後、直立状態のまま、ヒンジ３１の約１８０度の回動により肘掛内の収納空間１２に直立に収納される。
【００３６】
図３に示すように、使用状態からのテーブル２０の小口方向の回動において、テーブルの一端が収納空間内に達した位置からの小口方向の角度αが約６度となるようテーブル２０が回動したとき、テーブル側ガイドブロック６１と肘掛側ガイドブロック６２とが摺接する。その後、テーブルの一端が収納空間内に達した位置からの小口方向の角度αが約１５度となるようテーブル２０が回動するまでの間、テーブル側ガイドブロック６１と肘掛側ガイドブロック６２とは摺接する。
【００３７】
図４、５に示すように、使用状態からのテーブル２０の小口方向の回動において、テーブルの外縁の中で最初にアシストアームと接触する部位が収納空間内に達した位置からの小口方向の角度βが約１度となるようテーブル２０が回動したとき、テーブルの外縁は、アシストローラー４１に外接する。テーブル２０が収納空間１２内を回動し、収納位置に達するまでの間、アシストローラー４１は、テーブル２０の外縁に接触し、テーブル２０の回動に伴いテーブル２０の外縁を回転移動する。アシストアーム４０は、アシストローラー４１の回転移動に応動して下方向に揺動する。アシストばね４２は、アシストアーム４０の下方向の揺動により延伸し、アシストアーム４０が上方向に揺動するようにアシストアーム４０を付勢する。
【００３８】
但し、収納位置からの小口方向の角度γが約１３度以下となるようテーブル２０が回動したとき、即ち、アシストローラー４１がテーブル２０の外縁の弧状側端２２に接しているときは、テーブル２０の回動に伴ってアシストローラー４１は回転するものの、アシストアーム４０の下方向への揺動及びアシストばね４２の延伸は生じない。なお、この間は、上方向に回動するようテーブル２０は付勢されていない。図５（ａ）において、補助線ｘは、ヒンジ３１の回動軸から収納位置における弧状側端２２の端Ａへの線である。
【００３９】
図２、４、５に示すように、不使用状態から使用状態への移行時においてテーブル２０は、直立状態のままヒンジ３１の約１８０度の回動により肘掛内の収納位置から直立のまま肘掛前方のテーブル使用位置に回動し、その後、ヒンジ３２の約９０度の回動により直立状態から水平状態になり、肘掛１０の斜め前方に水平に支持される。
【００４０】
図３に示すように、不使用状態からのテーブル２０の小口方向の回動において、テーブルの一端が収納空間内に達した位置からの小口方向の角度αが約１５度となるよう収納位置からテーブル２０が回動したとき、テーブル側ガイドブロック６１と肘掛側ガイドブロック６２とが摺接する。その後、テーブルの一端が収納空間内に達した位置からの小口方向の角度αが約６度となるようテーブル２０が回動するまでの間、テーブル側ガイドブロック６１と肘掛側ガイドブロック６２とは摺接する。
【００４１】
図４、５に示すように、不使用状態からのテーブル２０の小口方向の回動において、テーブルの外縁の中で最初にアシストアームと接触する部位が収納空間内に達した位置からの小口方向の角度βが約１度となるよう収納位置からテーブル２０が回動するまでの間、アシストローラー４１は、アシストアーム４０がアシストばね４２により上方向に揺動するよう付勢されているため、テーブル２０の外縁に接し、テーブル２０の回動に伴ってテーブル２０の外縁を回転移動する。アシストアーム４０は、アシストばね４２により上方向に揺動するよう付勢されているため、アシストローラー４１のテーブル２０の外縁の移動に応動して上方向に揺動する。アシストばね４２は、アシストアーム４０の上方向への揺動により収縮する。
【００４２】
但し、収納位置からの小口方向の角度γが約１３度となるようテーブル２０が回動するまでの間、即ち、アシストローラー４１がテーブル外縁の弧状側端２２に接している間は、テーブル２０の回動に伴ってアシストローラー４１は回転するものの、アシストアーム４０の上方向への揺動及びアシストばね４２の収縮は生じない。なお、この間は、上方向に回動するようテーブル２０は付勢されていない。
【００４３】
本実施例によれば、以下の効果（ａ）〜（ｊ）を得ることができる。
（ａ）肘掛１０内において、アシストばね４２で上方向への揺動を付勢されるアシストアーム４０がアシストローラー４１を介してテーブル２０の外縁に接触することで、テーブル２０の自重落下による衝撃の緩和及びテーブル２０の破損の防止ができ、アシストローラー４１の外周面の幅方向中央の凹陥部にテーブルが外接することで、テーブルのがたつきをなくすことができる。
（ｂ）肘掛１０内において、アシストばね４２で上方向への揺動を付勢されるアシストアーム４０がアシストローラー４１を介してテーブル２０の外縁に接触することで、テーブル２０の自重だけでは収納位置まで下降しないため、収納には使用者の助力が必要となり、衝撃の緩和及びテーブル２０の破損の防止ができる。
【００４４】
（ｃ）テーブル２０及び開口部１１に互いに摺接するガイドブロック６０を設けることで、テーブル収納時の正規位置である直立状態でない限りテーブル２０を肘掛１０内に収納されず、テーブル２０及び肘掛１０の破損が防止できる。
（ｄ）ヒンジ３２が取着されたテーブル２０の扇の要にあたる部分２１付近にテーブル２０の耳部２５を設け、そこにテーブル側ガイドブロック６１が突設されることで、使用状態から不使用状態への移行時において早期にテーブルが収納空間の開口部の長手方向と平行となるよう矯正ができる。
（ｅ）ヒンジ３２が取着されたテーブル２０の扇の要にあたる部分２１付近にテーブル側ガイドブロック６１を設けることで、テーブル側ガイドブロック６１が突設されるテーブル２０の耳部２５がテーブル２０の使用時の障害にならない。
【００４５】
（ｆ）衝撃緩和部材であるアシストアーム４０及びガイドブロック６０が共にヒンジ３１、３２に直接設けられないことで、ヒンジ３１、３２が大きくなることがなく、テーブルと着座者との間に十分な離間を得られるような肘掛の位置にヒンジを取着できる。
（ｇ）テーブル２０の収納状態から使用状態への移行時において、アシストアーム４０でテーブル２０の小口方向の回動が一部アシストされることにより、使用者への利便が図れる。
（ｈ）収納位置からの小口方向の角度γが約１３度となるようテーブル２０が回動する間は、アシストアーム４０により上方向に回動するようテーブル２０は付勢されていないことから、振動等によるテーブル２０の飛び出しが防止できる。
（ｉ）収納位置からの小口方向の角度γが約１３度となるようテーブル２０が回動する間は、アシストアーム４０により上方向に回動するようテーブル２０は付勢されていないことから、確実にテーブル２０を収納位置に保持できる。
（ｊ）テーブル２０の不使用状態においては、アシストアーム４０により上方向に回動するようテーブル２０は付勢されていないことから、テーブル２０の誤回動を防止するための手段を新たに設ける必要がない。
【００４６】
なお、本発明は前記実施例に限定されるものではなく、発明の趣旨から逸脱しない範囲で各部の構成を適宜変更して実施することもできる。
【図面の簡単な説明】
【００４７】
【図１】肘掛内蔵式テーブル装置の斜視図である。
【図２】テーブル面方向の回動の斜視図である。
【図３】テーブル小口方向の回動におけるガイドブロックの摺接状態の図である。
【図４】テーブル小口方向の回動におけるテーブル及びアシストアームの状態の側面図である。
【図５】テーブル小口方向の回動におけるテーブル及びアシストアームの状態の側面図である。
【図６】肘掛内蔵式テーブル装置を有する座席の斜視図である。
【符号の説明】
【００４８】
１０  肘掛
１１  開口部
１２  収納空間
２０  テーブル
３１  ヒンジ（小口方向回動用）
３２  ヒンジ（面方向回動用）
４０  アシストアーム
４２  アシストばね
６１  テーブル側ガイドブロック
６２  肘掛側ガイドブロック
【図１】
2008113791.tif 000003
【図２】
2008113791.tif 000004
【図３】
2008113791.tif 000005
【図４】
2008113791.tif 000006
【図５】
2008113791.tif 000007
【図６】
2008113791.tif 000008